(57)【要約】  【課題】  生体の表面を穿刺する穿刺器具および穿刺針を廃棄する穿刺針廃棄器具を、安全かつ簡単に取り扱え、使用後の穿刺針をまとめて処分すること。  【解決手段】  廃棄器具６を、穿刺器具１の穿刺針８を保持している穿刺針固定爪３ａと当接して、穿刺針８と穿刺針固定爪３ａとの係合を解除する端面７ｃと、穿刺針８の溝９ｃと係合するグリップ爪７ａを備え、その内部に複数の穿刺針８を収納可能な筒形状部７とからなるものとし、グリップ爪７ａにより穿刺針本体９を把持して穿刺器具１から抜き取り、抜き取った穿刺針８を直線状に筒形状部７内部に複数個収容する。【選択図】  図１（ｃ）
2010017601.tif 000002
【特許請求の範囲】
【請求項１】
生体の表面を穿刺する穿刺針を着脱可能に保持する保持部材を有する穿刺器具より穿刺針を取り外して廃棄するための穿刺針廃棄器具であって、
上記穿刺器具に保持された穿刺針を把持して穿刺器具から抜き取る穿刺針抜き取り部材と、
該抜き取った穿刺針を収納可能な筒形状の部材と、
上記筒形状の部材を挿入する開口部を有し、この開口部を通して、前記筒形状の部材に収納された穿刺針が廃棄される廃棄ボックスと、
から構成され、
前記穿刺器具を穿刺針廃棄器具に対して、押し込む動作を行うことにより、前記穿刺針抜き取り部材が前記穿刺器具の穿刺針の保持を解除し、引き抜く動作を行うことにより、前記穿刺針抜き取り部材が解除された前記穿刺針を把持し、前記穿刺針抜き取り部材が、穿刺針を穿刺器具から抜き取り、前記筒形状の部材に穿刺針を収納するようにしたことを特徴とする穿刺針廃棄器具。
【請求項２】
請求項１記載の穿刺針廃棄器具において、
上記穿刺針を収納可能な筒形状部と、上記廃棄ボックスとを、分離可能に構成したことを特徴とする穿刺針廃棄器具。
【請求項３】
請求項２記載の穿刺針廃棄器具において、
上記穿刺針を収納可能な筒形状部を、上記廃棄ボックスから分離したときに、上記廃棄ボックスの開口部を閉じる手段を備えたことを特徴とする穿刺針廃棄器具。
【請求項４】
請求項１ないし３のいずれかに記載の穿刺針廃棄器具において、
上記廃棄ボックスは、上記穿刺針を該廃棄ボックス内から排出するための開閉自在の蓋を有することを特徴とする穿刺針廃棄器具。
【請求項５】
請求項１記載の穿刺針廃棄器具において、
上記筒形状の部材、ならびに上記廃棄ボックスの、全体あるいは一部が透明であることを特徴とする穿刺針廃棄器具。
【請求項６】
請求項１記載の穿刺針廃棄器具において、
上記廃棄ボックスの開口部上面に、上記穿刺器具の外形をガイドする部材を備えたことを特徴とする穿刺針廃棄器具。
【請求項７】
請求項１記載の穿刺針廃棄器具において、
上記筒形状の部材の、上記廃棄ボックスの開口部への挿入深さを規制するストッパー部材を上記廃棄ボックスの開口部周囲に備えたことを特徴とする穿刺針廃棄器具。
【請求項８】
請求項１に記載の穿刺針廃棄器具において、
次の穿刺針の廃棄までの間、１個分の穿刺針を穿刺針抜き取り部材に保持するよう構成したことを特徴とする穿刺針廃棄器具。
【発明の詳細な説明】
【技術分野】
【０００１】
本発明は、血糖値測定時に使用するような生体の表面を穿刺する穿刺器具の穿刺針を廃棄するための器具に関し、特に穿刺器具から穿刺針を容易に抜き取り、複数個収納可能な穿刺針廃棄器具に関するものである。
【背景技術】
【０００２】
糖尿病の患者さんは、自分自身で血糖値を一日に数回測定している。また病院では、糖尿病の患者さんの血糖値を一日に数十回測定している。この測定時に、指先などから少量の血液を採取する必要がある。そのために、図４（ａ）に示したように、穿刺器具５１と言われる装置に、使い捨ての穿刺針５８を取り付け、その穿刺針５８によって、指先や腕などを穿刺し、その穿刺した部位からの出血を測定に用いる。一般的な穿刺器具５１は筒状の本体ケース５２とキャップ５３とから構成されている。さらに本体部分には、取り付けた穿刺針５８を打ち出すための第１のバネ５６、打ち出した穿刺針５８を後退させるための第２のバネ５７および圧縮された上記第１のバネ５６を解放するための穿刺ボタン５４を有している。
【０００３】
また、穿刺後の穿刺針５８は、穿刺器具５１から取り外した後、袋５９や箱等に収納して廃棄している。
【０００４】
以下、使用方法について説明する。まず、本体ケース５２からキャップ５３を外すと共に、穿刺針５８の針部５８ａを保護する樹脂カバー５８ｂを外す。次にスライダー５５の弾性爪５５ａに穿刺針５８を装着し、再度キャップ５３を本体ケース５２にかぶせる。そして、第１のバネ５６を圧縮して、穿刺動作を可能状態とし、キャップ５３の穿刺部押圧面５３ａを指先などの穿刺部に当て、穿刺ボタン５４を押すことにより穿刺針５８が打ち出され、その後、第２のバネ５７の収縮力により穿刺針５８は即座に指先などから後退することになる。この動作によって血液を採取することができる。一度使用した穿刺針５８を再使用することは衛生面から非常に危険である。そのため、次の使用時には穿刺針５８を交換する必要がある。使用後の穿刺針５８は、まず本体ケース５２からキャップ５３を外した後、スライダー５５から取り外す。その後、穿刺する前に外した針部５８ａを保護する樹脂カバー５８ｂを針の先端に取付け直し、専用の袋５９や箱に収納し廃棄する（例えば、特許文献１参照）。
【先行技術文献】
【特許文献】
【０００５】
【特許文献１】特開２０００−２３７１７２号公報（第３−４頁、第１図（ａ））
【発明の概要】
【発明が解決しようとする課題】
【０００６】
従来の穿刺針廃棄器具は以上のように構成されており、使用者は、穿刺針の扱いや使用後の穿刺針の廃棄処理等において、手作業による面倒な動作段階を数多く踏まなければならない。この影響もあり、使用者は、一度挿入された穿刺針を、穿刺動作および血液採取のために数回使用してしまいがちになる。１本の穿刺針を複数回使用することは、特に穿刺針を２人以上の人物に使用する場合、衛生面の理由から避けなければならない。このような状況は、例えば開業医院、病院において起こり得るが、子供が間違って使用してしまうケースも除外できない。
【０００７】
一方で、穿刺針は１回毎の使い捨て用として製造されているので、複数回使用すれば先端がすぐに鈍くなってしまうため、穿刺針の連続使用は患者にさらに痛みを与える原因となる。さらに、使用後の穿刺針を廃棄する場合、むき出しの針に保護カバーを被せる際に怪我をしたり、はずした保護カバーをなくす恐れがあった。また、使用後の穿刺針を袋や箱に収納し、病院に持って行くなり自分で燃えるゴミとして安全に廃棄しなければならず、手間であった。
【０００８】
以上のように、従来は、穿刺針の廃棄時に使用済みの穿刺針で指先を怪我する危険性や、取り外した後の廃棄処理が煩わしく、特に糖尿病の合併症等により、目の不自由な患者さんにとっては大きな問題点であった。
【０００９】
本発明は以上のような問題点に鑑みてなされたもので、使用後の穿刺針を、簡単な操作で、安全に取り外し、その後の廃棄処理に手間のかからない穿刺針廃棄器具を提供することを目的とする。
【課題を解決するための手段】
【００１０】
上記課題を解決するために本発明は、穿刺器具にセットした使用後の穿刺針を廃棄器具でキャッチし、複数個の穿刺針を安全かつ簡単に廃棄できるようにしたものである。
【００１１】
すなわち、本発明にかかる穿刺針廃棄器具は、生体の表面を穿刺する穿刺針を着脱可能に保持する保持部材を有する穿刺器具より穿刺針を取り外して廃棄するための穿刺針廃棄器具であって、上記穿刺針廃棄器具を、上記穿刺器具に保持された穿刺針を把持して穿刺器具から抜き取る穿刺針抜き取り部材と、該抜き取った穿刺針を複数個収納可能な筒形状の部材と、から構成したことを特徴とするものである。
【００１２】
また、本発明にかかる穿刺針廃棄器具は、上記穿刺針廃棄器具において、上記筒形状の部材の内部に収納された穿刺針が外部に出ないよう、上記筒形状の部材の先端が閉じていることを特徴とするものである。
【００１３】
また、本発明にかかる穿刺針廃棄器具は、生体の表面を穿刺する穿刺針を着脱可能に保持する保持部材を有する穿刺器具より穿刺針を取り外して廃棄するための穿刺針廃棄器具であって、上記穿刺器具に保持された穿刺針を把持して穿刺器具から抜き取る穿刺針抜き取り部材と、該抜き取った穿刺針を１個分収納可能な筒形状の部材と、上記筒形状の部材を挿入する開口部を有する廃棄ボックスと、から構成したことを特徴とするものである。
【００１４】
また、本発明にかかる穿刺針廃棄器具は、上記穿刺針廃棄器具において、上記穿刺針を１個分収納可能な筒形状部と、上記廃棄ボックスとを、分離可能に構成したことを特徴とするものである。
【００１５】
また、本発明にかかる穿刺針廃棄器具は、上記穿刺針廃棄器具において、上記穿刺針を１個分収納可能な筒形状部を、上記廃棄ボックスから分離したときに、上記廃棄ボックスの開口部を閉じる手段を備えたことを特徴とするものである。
【００１６】
また、本発明にかかる穿刺針廃棄器具は、上記穿刺針廃棄器具において、上記廃棄ボックスは、上記穿刺針を該廃棄ボックス内から排出するための開閉自在の蓋を有することを特徴とするものである。
【００１７】
また、本発明にかかる穿刺針廃棄器具は、上記穿刺針廃棄器具において、上記筒形状の部材ならびに上記廃棄ボックスの、全体あるいは一部が透明であることを特徴とするものである。
【００１８】
また、本発明にかかる穿刺針廃棄器具は、上記穿刺針廃棄器具において、上記廃棄ボックスの開口部上面に、上記穿刺器具の外形をガイドする部材を備えたことを特徴とするものである。
【００１９】
また、本発明にかかる穿刺針廃棄器具は、上記穿刺針廃棄器具において、上記筒形状の部材の、上記廃棄ボックスの開口部への挿入深さを規制するストッパー部材を上記廃棄ボックスの開口部周囲に備えたことを特徴とするものである。
【発明の効果】
【００２０】
本発明にかかる穿刺針廃棄器具によれば、生体の表面を穿刺する穿刺針を着脱可能に保持する保持部材を有する穿刺器具より穿刺針を取り外して廃棄するための穿刺針廃棄器具であって、上記穿刺針廃棄器具を、上記穿刺器具に保持された穿刺針を把持して穿刺器具から抜き取る穿刺針抜き取り部材と、該抜き取った穿刺針を複数個収納可能な筒形状の部材と、から構成したものとしたので、穿刺器具に廃棄器具を挿入し抜去するだけの操作で、安全にかつ簡単に、穿刺針を穿刺器具から取り外し、取り外した穿刺針を複数個、安全に保管することができる効果がある。
【００２１】
また、本発明にかかる穿刺針廃棄器具によれば、上記穿刺針廃棄器具において、上記筒形状の部材の内部に収納された穿刺針が外部に出ないよう、上記筒形状の部材の先端が閉じているものとしたので、廃棄ボックスに収納された穿刺針が廃棄時などに外部に出る恐れが無く、安全性を高めることができる効果がある。
【００２２】
また、本発明にかかる穿刺針廃棄器具によれば、生体の表面を穿刺する穿刺針を着脱可能に保持する保持部材を有する穿刺器具より穿刺針を取り外して廃棄するための穿刺針廃棄器具であって、上記穿刺器具に保持された穿刺針を把持して穿刺器具から抜き取る穿刺針抜き取り部材と、該抜き取った穿刺針を１個分収納可能な筒形状の部材と、上記筒形状の部材を挿入する開口部を有する廃棄ボックスと、から構成したものとしたので、穿刺器具に廃棄器具を挿入し抜去するだけの操作で、安全にかつ簡単に、穿刺針を穿刺器具から取り外し、取り外した穿刺針を複数個、安全に保管することができる効果がある。
【００２３】
また、本発明にかかる穿刺針廃棄器具によれば、上記穿刺針廃棄器具において、上記穿刺針を１個分収納可能な筒形状部と、上記廃棄ボックスとを、分離可能に構成したものとしたので、穿刺針廃棄時に、廃棄ボックスのみを廃棄して、筒形状部を再利用することができる効果がある。
【００２４】
また、本発明にかかる穿刺針廃棄器具によれば、上記穿刺針廃棄器具において、上記穿刺針を１個分収納可能な筒形状部を、上記廃棄ボックスから分離したときに、上記廃棄ボックスの開口部を閉じる手段を備えたものとしたので、廃棄ボックスのみを廃棄する際に、廃棄ボックス内部に収容された穿刺針が外部に出る恐れが無く、安全性を高めることができる効果がある。
【００２５】
また、本発明にかかる穿刺針廃棄器具によれば、上記穿刺針廃棄器具において、上記廃棄ボックスは、上記穿刺針を該廃棄ボックス内から排出するための開閉自在の蓋を有するものとしたので、廃棄ボックス内より穿刺針のみを廃棄することもできる効果がある。
【００２６】
また、本発明にかかる穿刺針廃棄器具によれば、上記穿刺針廃棄器具において、上記筒形状の部材、ならびに上記廃棄ボックスの、全体あるいは一部が透明であるものとしたので、使用後の針の廃棄ボックス等への蓄積状況を即座に確認することができる効果がある。
【００２７】
また、本発明にかかる穿刺針廃棄器具によれば、上記穿刺針廃棄器具において、上記廃棄ボックスの開口部上面に、上記穿刺器具の外形をガイドする部材を備えたものとしたので、穿刺器具をより精度良く廃棄ボックスの開口部にガイドすることができ、操作性を向上することができる効果がある。
【００２８】
また、本発明にかかる穿刺針廃棄器具によれば、上記穿刺針廃棄器具において、上記筒形状の部材の、上記廃棄ボックスの開口部への挿入深さを規制するストッパー部材を上記廃棄ボックスの開口部周囲に備えたものとしたので、穿刺器具から穿刺針を抜き取る部材を装着した穿刺器具を穿刺針廃棄器具に押込む際に、上記穿刺針を抜き取る部材の先端が廃棄ボックスの開口部に過剰に入り込んだり、また、上記穿刺針を抜き取る部材に大きな応力が印加されて穿刺針本体を介して、穿刺器具内部に応力が加わったりするのを防止することができる効果がある。
【図面の簡単な説明】
【００２９】
【図１（ａ）】本発明の穿刺器具と廃棄器具の構成を示す断面図。
【図１（ｂ）】本発明の穿刺針（Ｕ）の構成を示す断面図。
【図１（ｃ）】本発明の穿刺器具を廃棄器具に押込んだ状態を示す断面図。
【図２】本発明の穿刺器具を廃棄器具に押込んだ状態を示す断面図。
【図３】本発明の穿刺器具を廃棄器具に押込んだ状態を示す断面図。
【図４（ａ）】従来の穿刺器具の構成を示す図。
【図４（ｂ）】従来の穿刺器具に用いられる穿刺針本体の構成を示す図。
【図４（ｃ）】従来の穿刺器具による穿刺針の廃棄方法を説明するための図。
【発明を実施するための最良の形態】
【００３０】
以下、本発明の実施の形態を、図面を参照しながら説明する。
（実施の形態１）
本発明の実施の形態１における穿刺器具と廃棄器具について、図１（ａ）〜（ｃ）に基づいて説明する。図１（ａ）において、１は穿刺器具であり、その本体ケース２の中に紙面上下動作可能な穿刺スライダー３、穿刺スライダー３を一時的に固定するロックアーム４、これと一体に構成したロックアーム爪４ａを有し、ロックアーム４はロックアームスプリング４にて時計回りに付勢している。２ａは本体ケース２から構成し、後述するスライダースプリング５の一端を挟持するバネ用リブ、３ｃは穿刺スライダー３から構成し、スライダースプリングの他端を挟持する付勢リブであり、これらリブ２ａと３ｃの間にスライダースプリング５が挿入してある。穿刺スライダー３はスライダースプリング５の伸縮に合わせてスライドするように構成されている。３ｂは穿刺針ストッパーであり、穿刺針本体９を一定の位置で固定する。３ａは穿刺針固定爪であり、弾性的に回動可能であり、穿刺針本体９の着脱が可能な構造となっている。３ｅはスライダー３と一体形成された前部端面であり、後ほど説明する廃棄器具６の筒部端面７ｃと当接する部分である。３ｆは３と一体形成されたスライダー後部端面であり、スライダーストッパー３ｇと当接する。
【００３１】
また、３ｄは穿刺スライダーに設けた段差であり、穿刺スライダー３が上方向にスライドした時、時計方向に回転付勢されたロックアーム４のロックアーム爪４ａがひっかかり、穿刺スライダー３を一時的に固定する。この時、スライダースプリング５は圧縮された状態で保持される。
【００３２】
６は廃棄器具であり、穿刺針本体９が挿入収納可能な筒形状部７と、穿刺針本体９の落下防止のストッパー７ｂと、穿刺器具１から穿刺針本体９を引抜くことが可能な弾性的に回動可能なグリップ爪７ａと、穿刺針固定爪３ａの穿刺針本体９への固定を開放する筒部端面７ｃとを有する。
【００３３】
図１（ｂ）において、８は穿刺針であり、針９ａを固定する穿刺針本体９と針先を保護する保護カバー９ｄ、穿刺器具１の穿刺針固定爪３ａがかかる溝９ｂ、筒形状部７のグリップ爪７ａがかかる溝９ｃとを有する。
【００３４】
図１（ｃ）は穿刺器具１を廃棄器具６に押込んだ状態であり、穿刺器具１の穿刺用固定爪３ａが筒形状部７の端面７ｃにて押し広げられ、穿刺針本体９の溝９ｂへのロックが解除されている。
【００３５】
一方、筒形状部７のグリップ爪７ａが弾性的に撓んだ後、穿刺針本体９の溝９ｃをグリップしている。また筒形状部７の筒部端面７ｃがスライダー前部端面３ｅを突くことで、穿刺スライダー３が上方に押され、スライダースプリング５は圧縮されている。ここでロックアーム爪４ａが穿刺スライダー３の段差３ｄに落ち込み、穿刺スライダー３が保持される。この位置で、スライダー後部端面３ｆとスライダーストッパー３ｇ間は若干の隙間を有する。また、穿刺器具１をさらに押込もうとしても、スライダー後部端面３ｆとスライダーストッパー３ｇがすぐに当接し、これ以上は押込めない。
【００３６】
この状態から穿刺器具１を紙面上方に廃棄器具６より引抜くと、穿刺針本体９はグリップ爪７にてグリップされており、穿刺用固定爪３ａは筒部端面７ｃによって溝９ｂとの係合が解除されており、溝９ｂと穿刺用固定爪３ａの解除状態を保ったまま、穿刺針本体９は廃棄器具６の筒形状部７側に引抜かれる。グリップ爪７ａにより保持された穿刺針本体９は、紙面上方向に抜けることはなく、次の穿刺針本体９が廃棄されるまで、そこに保持された状態となる。そして次の穿刺針本体９により軽い力で筒型状部７内に押し込まれ、廃棄器具６の底部のストッパー７ｂに当たるまで落下し、穿刺針本体９を簡単かつ安全に廃棄することができる。
【００３７】
もちろん、廃棄器具６は、複数個の穿刺針本体９を内部に蓄積することができる。このとき、先に落下した穿刺針本体９の上面側に形成された孔９ｅに、後から落下した穿刺針本体９の針９ａが挿入されて、収容時の体積を低減させている。
【００３８】
また、穿刺針８を穿刺器具１より取り外した後、穿刺スライダー３は、スライダースプリング５が圧縮された状態でロックアーム４により保持されたままとなっているため、この位置で新たな穿刺針８を穿刺器具１の穿刺針固定爪３ａまで押込み固定し、穿刺針８の保護カバー９ｄをはずせば、穿刺可能状態となる。
【００３９】
このように本実施の形態１にかかる穿刺針廃棄器具によれば、廃棄器具６を、穿刺器具１の穿刺針８を保持している穿刺針固定爪３ａと当接して、穿刺針８と穿刺針固定爪３ａとの係合を解除する端面７ｃと、穿刺針８の溝９ｃと係合するグリップ爪７ａを備え、その内部に複数の穿刺針８を収納可能な筒形状部７とからなるものとしたので、使用後の穿刺針を、簡単な操作で、安全に取り外し、その後の廃棄処理の手間を軽減することができる。
【００４０】
（実施の形態２）
次に、本発明の実施の形態２における穿刺針廃棄器具について、図２を参照して説明する。図２において、図１と同一符号は同一、または相当部分を示し、１０はその一部、もしくは全体が透明な素材で形成された廃棄ボックスであり、その上面には開閉蓋１１によって開口する開口部１０ａが設けられている。この開口部１０ａには、図１及び図２で示した、廃棄器具６の筒形状部７の落下防止のストッパー７ｂ側を切断して短くした廃棄器具６０の筒形状部７と連通する状態で嵌合するようになっている。
【００４１】
上記開閉蓋１１は、その支点１１ａを中心に回動可能に支持されており、開閉スプリング１２にて反時計方向に付勢されている。
【００４２】
１３は廃棄キャップであり、廃棄ボックス１０と着脱可能に装着されている。１４は上記開口部１０ａ周囲の廃棄ボックス１０に設けられた筒状の外ガイドであり、穿刺器具１の本体ケース２の外形をガイドする役割を果たす。上記廃棄ボックス１０， 開閉蓋１１，開閉スプリング１２，廃棄キャップ１３，外ガイド１４により廃棄器具６１が構成されている。
【００４３】
そして、上記廃棄器具６０と６１により、本実施の形態２による廃棄器具が構成され、一体となって機能を果たす。
【００４４】
次に使用方法について説明する。上記実施の形態１で説明したのと同様に、穿刺器具１先端を廃棄器具６０に押込んで、穿刺針本体９の穿刺器具１への固定を解除し、その状態で廃棄器具６０の筒形状部７先端を廃棄ボックス１０の外ガイド１４に沿って、開口部１０ａに挿入する。
【００４５】
そして、穿刺器具１を紙面上方に移動させることで、穿刺針本体９は穿刺器具１から離脱して筒型状部７側に引き抜かれ、また、これと同時に穿刺スライダー３のセットが行なわれるグリップ爪７ａにより保持された穿刺針本体９は、紙面上方向に抜けることはなく、次の穿刺針本体９が廃棄されるまで、そこに保持された状態となる。そして次の穿刺針本体９ により軽い力で筒型状部７内に押し込まれ、廃棄ボックス１０内に落下して廃棄される。
【００４６】
この実施例の特徴は、廃棄器具６１が、筒形状部７と廃棄ボックス１０の２つに分離可能なところである。廃棄器具６０と６１との着脱については、例えば廃棄ボックス１０と筒型状部７間が、軽圧入、あるいはネジなどで接続することで着脱可能に構成できる。もちろん分離しないで、廃棄器具６１ごと処分することもできるし、分離後、廃棄ボックス１０だけを処分することもできる。また、分離した時、筒形状部７と廃棄ボックス１０の連通する開口部１０ａを、開閉蓋１１と開閉スプリング１２にて塞ぐ構造としているため、廃棄ボックス１０内にある使用後の穿刺針本体９が誤って出てくるのを防ぐことができる。
【００４７】
さらに、廃棄ボックス１０に設けられた分離可能な廃棄キャップ１３により、使用後の穿刺針本体９ を別の処分場所に廃棄することも可能である。
【００４８】
また、外ガイド１４によって、廃棄器具６０が取り付けられた穿刺器具１の本体ケース２をより精度良く廃棄ボックス１０の開口部１０ａにガイドすることができ、操作性が向上する。
【００４９】
このように、本実施の形態２にかかる穿刺針廃棄器具によれば、廃棄器具６０を、穿刺器具１の穿刺針８を保持している穿刺針固定爪３ａと当接して、穿刺針８と穿刺針固定爪３ａとの係合を解除する端面７ｃと、穿刺針８の溝９ｃと係合するグリップ爪７ａを備えた筒形状部７とからなるものとし、廃棄器具６１を、その内部に複数の穿刺針８を収納可能な廃棄ボックス１０を有し、該廃棄ボックス１０の開口部１０ａに、穿刺器具１と廃棄器具６０とを組み合わせた状態で装着可能なものとし、取り外した後の穿刺針８を上記廃棄ボックス１０の中に落下して蓄積させるようにしたので、使用後の穿刺針を、簡単な操作で、安全に取り外し、その後の廃棄処理の手間を軽減することができる。
【００５０】
（実施の形態３）
次に、本発明の実施の形態３における穿刺針廃棄器具について、図３を用いて説明する。上記実施の形態１でも説明したものと同様に、廃棄器具６０を装着した穿刺器具１を廃棄器具６１に押込んで、穿刺針本体９の廃棄や穿刺スライダー３のセットを行なう。
【００５１】
本実施の形態３の特徴は、廃棄ボックス１０あるいは筒形状部７と、外ガイド１４間に、廃棄器具６０を装着した穿刺器具１を廃棄器具６１に押込む際のストッパー１５を設け、器具の破損防止と操作の確実性を向上することができる。
【００５２】
実施の形態２のように、廃棄器具６０を装着した穿刺器具１を廃棄器具６１に押込む際に、廃棄器具６０の先端が開口部１０ａに過剰に入り込んだり、また、廃棄器具６０に大きな応力が印加されて穿刺針本体９を介して、該応力が穿刺針ストッパー３ｂに加わったりする可能性があるが、ストッパー１５を設けることにより、このような不具合を回避することができる。
【００５３】
以上のように、廃棄器具６０を装着した穿刺器具１を廃棄器具６１に押込む操作を反復することにより、血糖値の測定時などに使用する穿刺針本体９を、複数個廃棄器具６０の筒形状部７を介して廃棄ボックス１０内に収納することができ、安全かつ簡単に廃棄可能である。一方、操作者は所定の操作後、穿刺器具１に穿刺針８をセットし保護カバー９ｄをはずし、ロックアーム４を押す事によって、指先や腕などの採血部への穿刺動作が行え、一連の採血動作を行なうことができる。
【００５４】
このように本実施の形態３にかかる穿刺針廃棄器具によれば、廃棄器具６０を装着した穿刺器具１を廃棄器具６１に押込んで、穿刺針本体９の廃棄を行うものにおいて、廃棄ボックス１０あるいは筒形状部７と、外ガイド１４間にストッパー１５を設けたので、廃棄器具６０を装着した穿刺器具１を廃棄器具６１に押込む際に、廃棄器具６０の先端が開口部１０ａに過剰に入り込んだり、また、廃棄器具６０に大きな応力が印加されて穿刺針本体９を介して、穿刺針ストッパー３に応力が加わったりするのを防止することができる。
【００５５】
なお、上記各実施の形態において、廃棄器具６（６０）を構成する筒形状部７を透明な素材を用いて構成することにより、穿刺針８の着脱状態や収容状態を確認しやすくするようにしてもよい。
【産業上の利用可能性】
【００５６】
本発明の穿刺針廃棄器具は、簡単な操作で安全に、穿刺針を穿刺器具から取り外すことができるものであり、例えば、血糖値等の測定に使用するランセットの廃棄に適用して有用である。特に、従来は血糖値測定のたびに穿刺針本体を穿刺器具からはずし、穿刺針本体の先端に保護カバーをして廃棄していたものに比べ、この操作が不要となり、針先を覆ったりすることもなく、安全性が高くなり有用である。
【符号の説明】
【００５７】
１   穿刺器具
２   本体ケース
２ａ   バネ用リブ
３   穿刺スライダー
３ａ   穿刺針固定爪
３ｂ   穿刺針ストッパー
３ｃ   付勢リブ
３ｄ   段差
３ｅ   前部端面
３ｆ   スライダー後部端面
３ｇ   スライダーストッパー
４   ロックアーム
４ａ ロックアーム爪
４ｂ   ロックアームスプリング
５   スライダースプリング
６，６０，６１   廃棄器具
７   筒形状部
７ａ   グリップ爪
７ｂ   落下防止のストッパー
７ｃ   筒部端面
８   穿刺針
９   穿刺針本体
９ａ   針
９ｂ   溝
９ｃ   溝
９ｄ   保護カバー
１０   廃棄ボックス
１０ａ   開口部
１１   開閉蓋
１２   開閉スプリング
１３   廃棄キャップ
１４   外ガイド
１５   ストッパー
【図１（ａ）】
2010017601.tif 000003
【図１（ｂ）】
2010017601.tif 000004
【図１（ｃ）】
2010017601.tif 000005
【図２】
2010017601.tif 000006
【図３】
2010017601.tif 000007
【図４（ａ）】
2010017601.tif 000008
【図４（ｂ）】
2010017601.tif 000009
【図４（ｃ）】
2010017601.tif 000010